(57)【特許請求の範囲】
【請求項１】
・使用中に内側面と着用者の頭の上部との間にスペースを提供するのに十分な深さの冠部と、
・前記冠部の前部にあるひさしと、
・着用者の頭に帽子を配置し維持するために前記冠部の下端を形成するヘッドバンド
とを含む帽子であって、
−  前記冠部（２）の前部（４）で前記ひさし（１２）の高さより上にあり、帽子の内側に空気を導入する入口開口部（２０）と、
−  前記入口開口部（２０）に付随する突出部（２２）とを含み、前記突出部（２２）は、使用中に中を通る空気流を遮って前記空気流に穏やかな乱流を生成しそれにより帽子内の冷却効果を高めるために、前記入口開口部（２０）の比較的上側の縁から垂れ下がるバッフル（２２）またはブレードの形であり、さらに
−  前記冠部の後頭部部分（６）における出口開口部（２６）
とを含むことを特徴とする帽子。
【請求項２】
前記入口開口部および出口開口部（２０，２６）が、降雨の侵入を防ぎ、もしくは制限するために耐候性にされたことを特徴とする請求項１記載の帽子。
【請求項３】
耐候性にする処理が、それぞれの前記開口部に付随した張出し部を設けることによって達成されることを特徴とする請求項２記載の帽子。
【請求項４】
前記バッフル（２２）またはブレードが、尖った縁（２４）を備えることを特徴とする請求項１記載の帽子。
【請求項５】
帽子の冠部（２）の少なくとも一部分の内側面が、テクスチャ化（３４）されるかかまたは起伏が付けられ、着用者の頭（８）と帽子の限定的な冠部（２）との間のスペース内に乱流生成媒体を提供することを特徴とする請求項１から４のいずれか１項記載の帽子。
【請求項６】
帽子の前記出口開口部（２６）が、さらに、帽子から空気流が出る箇所で乱流を生成する類似の突出部（２８）を備えることを特徴とする請求項１から５のいずれか１項記載の帽子。
【請求項７】
１つまたはそれぞれの突出部（２０，２８）が、内側のテクスチャ化面または起伏面（３０，３２）を備えることを特徴とする請求項６記載の帽子。
【請求項８】
ヘッドバンド（１４）に、着用者の頭（８）に接触するように意図された吸収性の層または面が形成されることを特徴とする請求項１乃至７のいずれか１項記載の帽子。
【請求項９】
請求項１乃至８のいずれか１項記載の野球帽の形である帽子。
【発明の詳細な説明】
【０００１】
【発明の属する技術分野】
本発明は、帽子の改良または帽子に関連する改良に関し、より詳細には、一般に野球帽として知られる帽子に関連するがそれに限定されない。
【０００２】
【従来の技術】
野球帽およびそれとほぼ類似のキャップは、従来、前びさしを有する冠部を備えており、キャップは、適合サイズの自由度を大きくする調整可能なヘッドバンドを備えている。キャップは、通常、その後頭部部分において後ろに少し開いており、設計によっては、頭皮に通気手段を提供する網状布などによって提供される通気部分を備えることがある。
また、キャップに通気用の開口部を複数形成することも知られている。
【０００３】
この種のキャップは、主に夏季に、着用者を太陽の熱や日差しから守るために着用されることが理解されよう。しかしながら、現在入手可能なキャップの実用上の欠点は、キャップが、頭皮と接触しない場合でも頭皮に比較的近接して被さっており、したがって熱を発生しやすいことであり、この問題は、特に、冠部に髪の毛をなくした着用者に深刻である。過度の発汗は、キャップを脱がせそれによりキャップを着用する目的を無効にするまでになる。
【０００４】
本発明の目的は、帽子内への空気の導入および空気流の流れを促進する改善された帽子を提供することである。
【０００５】
【課題を解決するための手段】
本発明により、帽子は、使用中に内側面と着用者の頭の上部との間にスペースを提供するのに十分な深さの冠部と、冠部の前部にあるひさしと、着用者の頭に帽子を配置し維持するために冠部の下端を形成するヘッドバンドとを含み、帽子の内側に空気を導入するための、冠部の前部のひさしの上か下にある入口開口部と、入口開口部と関連し、使用中に開口部を通る空気流を遮る突出部と、冠部の後頭部部分の出口開口部とを特徴とする。
【０００６】
帽子は、野球帽の形であると都合がよい。しかしながら、帽子は、他の形のものでもよく、「ひさし」という言葉は、つばまたはその相当物の前部を含む。
【０００７】
入口および出口開口部は、たとえば雨の形の望ましくない降水の侵入を防ぎまたは制限するために耐候性にされることがある。耐候性の処理は、それぞれの開口部と関連した張出し部を設けることによって達成することができる。
【０００８】
入口開口部と関連した突出部は、使用中に空気流を遮り空気流の穏やかなな乱れを生成しそれにより帽子内の冷却効果を高めるために、開口部の比較的上の縁から垂れ下がるかまたはその一部分を構成するバフルまたはブレードの形でもよい。バフルまたはブレードは、尖った縁を備えてもよい。代替の実施形態において、バフルまたはブレードは、ひさしあるいは開口部と関連した冠部の前部に配置されてもよい。
【０００９】
開口部は、取り外すことができるかあるいは帽子上の封止位置を移動することができる封止部材を備えることができる。開口部が封止部材によって制限される程度は、気候的条件を克服するために変更可能であると有利である。
【００１０】
帽子の冠部の少なくとも一部分の内側面は、着用者の頭と帽子の限定的な冠部との間のスペース内の乱流生成媒体を提供し、またそのスペース内の冷却効果を高めるためにテクスチャ化されるか起伏が付けられてもよい。
【００１１】
帽子の出口開口部は、また、帽子から空気流が出る箇所において乱れを生成する目的で類似の突出部を備えると好都合である。
【００１２】
一方または両方の突出部は、帽子自体の内側面に関して説明したもの同じ目的を有する内側のテクスチャ化面または起伏面を備えてもよい。
【００１３】
ヘッドバンドは、着用者の頭に接するように意図された吸収性の層または面が形成されると有利なことがある。
【００１４】
次に、添付図面を参照して、本発明による帽子の１つの実施形態を例として説明する。
【００１５】
【発明の実施の形態】
図面を参照すると、前面部４と後部または後頭部部分６とを有する耐候性材料の冠部２を含む野球帽１の形の帽子が示され、冠部２の深さは、着用者の頭８の位置において空気を循環させるためのスペース１０を残すのに十分なものである。キャップ１は、調整可能なヘッドバンド１４から前面に延びるひさし１２を有し、調整は、キャップの後部６の１６において従来の方法で実現され、ヘッドバンド１４は、着用者の頭と接触する吸収性の内側裏張りを有し、冠部と一体化されるかまたは適切な方法で冠部に固定される。
【００１６】
冠部２の前面部４は、ヘッドバンド１４の上に被さり、ヘッドバンド１４とひさし１２から離間し、スペース１０に通じる入口開口部２０を提供する。前縁２４を有するバフル２２が、図示したように前面部４の内側の冠部内に取り付けられて開口部２０内にぶら下がり、それにより使用時にキャップ・スペース１０内への空気流に乱れを生成するために開口部を部分的にふさぐ。
【００１７】
冠部２の後部６は、出口開口部２６を有し、同様に、キャップの内部から空気流が出る際に着用者の頭の後頭部において乱流発生器の機能を実行するための、後縁３０を有する下方にぶら下がったバフル２８を備える。
【００１８】
バフル２２および２８は、好都合には、キャップの内側にそれぞれあるテクスチャ化面３１、３２を有する半剛性材料からなり、それによりキャップ・スペース１０に出入りする際に表面を流れる空気がさらに乱される。
【００１９】
さらに、冠部２の内側面は、バフル面と同じ効果を提供するために、３４においてテクスチャ化されていると有利である。
【００２０】
新しくかつ改良された帽子の動作原理は、たとえば野球帽の形態において、使用中の着用者の動きあるいは支配的な空気流の状態すなわち風の状態により、キャップの内部に空気の導入が生じ、その結果、空気流が、最初にバフル２２と次に前縁２４によって乱され、冠部の内側面３４のテクスチャ化によりスペース内に永続された低摩擦の乱流が生成され、そこから出口開口部を通り、そこで再びバフル２８のテクスチャ化面３２とその後縁３０によって乱流が強化される。空気の乱流は、キャップ内に空気の循環流を実現し、それにより、毛髪の抜けた人に特に有益な冷却効果が生じるが、一般にも、簡単であるが有効な形で通気を実現するのに有益である。
【００２１】
入口および出口開口部と関連したバフルが、ブレード状であり、したがってまっすぐな縁を有するように説明したが、たとえば他の形の縁を利用することができ、たとえばのこぎり歯状または波状の形を有効に利用することができることを理解されたい。さらに、バフルを関連する開口部のどれかまたはすべての縁と関連付けることができる。さらに、本発明の帽子は、冠部の前部と後部に１つづつ開口部を有するように説明したが、各部に複数の開口部を設けてもよく、冠部自体は、開口部と、バフルの形の関連した突出部とを備えていてもよいことを理解されたい。
【００２２】
本発明の帽子は、従来の材料から製造することができる。
【００２３】
冠部の前面部は、商標表示のための表示領域を備えることがあることを理解されたい。
【図面の簡単な説明】
【図１】  野球帽の断面側面図である。
【図２】  図１に示したキャップの前面部の第１の細部の分解図である。
【図３】  図１に示したキャップの後部の第２の細部の分解図である。
【図４】  図１の野球帽の断面平面図である。
【図５】  キャップの前面図である。
【図６】  キャップの後面図である。
【図７】  キャップの側面図である。
【図１】
0004516689.tif 000002
【図２】
0004516689.tif 000003
【図３】
0004516689.tif 000004
【図４】
0004516689.tif 000005
【図５】
0004516689.tif 000006
【図６】
0004516689.tif 000007
【図７】
0004516689.tif 000008